(57)【特許請求の範囲】
【請求項１】
多数の帳票を印刷するために作成された印刷用の主キーで区別される帳票データを記憶する帳票データ記憶手段と、
前記帳票ごとに設定され、前記印刷用の主キーで区別される帳票データを流し込んで帳票印刷データを作成するためのファイル名で区別される流し込み用設定データを記憶する流し込み用設定データ記憶手段と、
前記帳票データ記憶手段に記憶された前記主キーで区別される帳票データから、利用者が閲覧するための利用者閲覧帳票データを検索する利用者閲覧帳票データ検索手段と、
前記利用者閲覧帳票データ検索手段が検索した利用者閲覧帳票データに基づいて、前記利用者が閲覧するための閲覧用帳票データを作成する閲覧用帳票データ作成手段と、
前記閲覧用帳票データ作成手段が作成した閲覧用帳票データを出力する閲覧用帳票データ出力手段と
を備え、
前記流し込み用設定データは、前記閲覧用帳票データをＰＤＦで作成するために各頁をＰＤＦで表すＰＤＦ版下データと、このＰＤＦ版下データに配置する文字、画像の位置を示す位置情報を含むレイアウトデータと、前記ＰＤＦ版下データに配置する画像データを表すオーバーレイデータとを含み、
前記ファイル名は、前記ＰＤＦ版下データを特定するＰＤＦ版下データファイル名と、前記レイアウトデータを特定するレイアウトデータファイル名と、前記オーバーレイデータを特定するオーバーレイデータファイル名を含み、
前記帳票データ記憶手段に記憶された前記主キーで区別される帳票データは、該帳票データが流し込まれる前記流し込み用設定データを特定する前記ＰＤＦ版下データファイル名、前記レイアウトデータファイル名及び前記オーバーレイデータファイル名を有し、
前記閲覧用帳票データ作成手段は、前記流し込み用設定データ記憶手段に記憶された流し込み用設定データから、前記利用者閲覧帳票データが有する前記ＰＤＦ版下データファイル名、前記レイアウトデータファイル名及び前記オーバーレイデータファイル名で特定される前記流し込み用設定データを取り出し、取り出した前記流し込み用設定データに前記利用者閲覧帳票データを流し込んで前記閲覧用帳票データを作成する
ことを特徴とする帳票閲覧装置。
【請求項２】
前記帳票データ記憶手段が記憶する前記印刷用の主キーで区別される帳票データは、帳票データ取込手段によって取り込まれたものであることを特徴とする請求項１記載の帳票閲覧装置。
【請求項３】
前記流し込み用設定データ記憶手段が記憶する前記ＰＤＦ版下データファイル名、前記レイアウトデータファイル名及び前記オーバーレイデータファイル名で区別される流し込み用設定データは、流し込み用設定データ取込手段によって取り込まれたものであることを特徴とする請求項１又は請求項２記載の帳票閲覧装置。
【請求項４】
前記閲覧用帳票データは、ＰＤＦデータであることを特徴とする請求項１乃至請求項３のいずれかに記載した帳票閲覧装置。
【請求項５】
多数の帳票を印刷するために作成された印刷用の主キーで区別される帳票データを記憶しておき、
前記帳票ごとに設定され、前記印刷用の主キーで区別される帳票データを流し込んで帳票印刷データを作成するための流し込み用設定データを記憶しておき、
前記記憶した帳票データから、利用者が閲覧するための利用者閲覧帳票データを検索し、
前記検索した利用者閲覧帳票データに基づいて、前記利用者が閲覧するための閲覧用帳票データを作成し、
前記作成した閲覧用帳票データを出力する
コンピュータが実行する帳票閲覧方法であって、
前記流し込み用設定データは、前記閲覧用帳票データをＰＤＦで作成するために各頁をＰＤＦで表すＰＤＦ版下データと、このＰＤＦ版下データに配置する文字、画像の位置を示す位置情報を含むレイアウトデータと、前記ＰＤＦ版下データに配置する画像データを表すオーバーレイデータとを含み、
前記ファイル名は、前記ＰＤＦ版下データを特定するＰＤＦ版下データファイル名と、前記レイアウトデータを特定するレイアウトデータファイル名と、前記オーバーレイデータを特定するオーバーレイデータファイル名を含み、
前記主キーで区別される帳票データは、該帳票データが流し込まれる前記流し込み用設定データを特定する前記ＰＤＦ版下データファイル名、前記レイアウトデータファイル名及び前記オーバーレイデータファイル名を有し、
前記閲覧用帳票データを作成するステップは、前記記憶された流し込み用設定データから、前記利用者閲覧帳票データが有する前記ＰＤＦ版下データファイル名、前記レイアウトデータファイル名及び前記オーバーレイデータファイル名で特定される前記流し込み用設定データを取り出し、取り出した前記流し込み用設定データに前記利用者閲覧帳票データを流し込んで前記閲覧用帳票データを作成する
ことを特徴とする帳票閲覧方法。
【請求項６】
前記記憶した印刷用の主キーで区別される帳票データは取り込まれたものであることを特徴とする請求項５記載の帳票閲覧方法。
【請求項７】
前記記憶した前記ＰＤＦ版下データファイル名、前記レイアウトデータファイル名及び前記オーバーレイデータファイル名で区別される流し込み用設定データは取り込まれたものであることを特徴とする請求項５又は請求項６記載の帳票閲覧方法。
【請求項８】
前記閲覧用帳票データは、ＰＤＦデータであることを特徴とする請求項５乃至請求項７のいずれかに記載した帳票閲覧方法。
【請求項９】
請求項５乃至請求項８のいずれかに記載した帳票閲覧方法をコンピュータに実行させるプログラム。
【発明の詳細な説明】
【技術分野】
【０００１】
本発明は、いわゆるウェブ（Ｗｅｂ）等のネットワーク上で利用者が帳票を閲覧できる帳票閲覧装置、帳票閲覧方法及びプログラムに関するものである。
【背景技術】
【０００２】
銀行、保険会社、証券会社等の金融機関、電話等の通信事業者、電気、ガス、水道等の公共事業者（以下「金融機関等」という。）においては、利用者（顧客）に対して、定期的に利用明細を帳票にして送付しているが、この帳票の作成は、印刷会社において行われる。具体的には、印刷会社において、金融機関等から送られてくる顧客データ（利用明細データ）を帳票データに加工し、加工した帳票データに基づいて、印刷加工により種々のフォーマットの帳票を作成している。
一方、近年のコンピュータ、通信技術の発達、インターネットの普及等により、帳票の電子化も盛んに行われており、帳票を電子ドキュメントとしてコンピュターネットワーク上で管理し、利用者がネットワーク端末から帳票を閲覧出力できる電子帳票システムも使用されている。
例えば、特開２００２−１０９４５４号公報（特許文献１）には、利用者に送付する帳票を印刷するため印刷データをＰＤＦ（Portable Document Format）形式の電子ドキュメントで作成し、このＰＤＦ電子ドキュメントの所定数分を一のファイルに格納する一方、ＰＤＦ電子ドキュメントを顧客ＩＤで特定できるようにし、ファイル内のＰＤＦ電子ドキュメントの開始ページ、ページ数を特定するためのインデックステーブルを設け、このインデックステーブルにより対象のＰＤＦ電子ドキュメントを短時間で検索可能としたドキュメントファイル管理構造等が開示されている。
また、特開２０１４−２０９３１４号公報（特許文献２）には、複数の帳票から出力要求のあった帳票を出力するシステムであって、要求のあった帳票の文書データを顧客データベースから抽出し、抽出された文書データに対応するレイアウト情報をレイアウトデータベースから選出し、要求のあった帳票の文書データと選出されたレイアウト情報を合わせて出力制御する帳票出力システムが開示されている。
【０００３】
しかしながら、特許文献１のドキュメントファイル管理構造等においては、すべての帳票をＰＤＦ化したＰＤＦ電子ドキュメントを作成してこれを保存することから大容量のデータベースシステムが必要となり、出力システムの負荷も大きくなるという問題がある。
また、特許文献２の帳票出力システム（電子帳票を作成するシステム）は、帳票の印刷データの作成するシステムとはまったく別個のシステムであるため、電子帳票と印刷物の帳票とを作成してそれを利用することに関し、システムの運用や維持・管理等の効率が極めて悪くなるという問題がある。
【先行技術文献】
【特許文献】
【０００４】
【特許文献１】特開２００２−１０９４５４号公報
【特許文献２】特開２０１４−２０９３１４号公報
【発明の概要】
【発明が解決しようとする課題】
【０００５】
本発明が解決しようとする課題は、大量の電子帳票データを保存することなく、帳票印刷用に作成したデータを利用して電子帳票データを作成してそれを閲覧できるようにし、効率よくシステムの運用、維持・管理等が行えるようにすることである。
【課題を解決するための手段】
【０００６】
本発明は、多数の帳票を印刷するために作成された印刷用の主キーで区別される帳票データを記憶する帳票データ記憶手段と、前記帳票ごとに設定され、前記印刷用の主キーで区別される帳票データを流し込んで帳票印刷データを作成するためのファイル名で区別される流し込み用設定データを記憶する流し込み用設定データ記憶手段と、前記帳票データ記憶手段に記憶された前記主キーで区別される帳票データから、利用者が閲覧するための利用者閲覧帳票データを検索する利用者閲覧帳票データ検索手段と、前記利用者閲覧帳票データ検索手段が検索した利用者閲覧帳票データに基づいて、前記利用者が閲覧するための閲覧用帳票データを作成する閲覧用帳票データ作成手段と、前記閲覧用帳票データ作成手段が作成した閲覧用帳票データを出力する閲覧用帳票データ出力手段とを備え、前記流し込み用設定データは、前記閲覧用帳票データをＰＤＦで作成するために各頁をＰＤＦで表すＰＤＦ版下データと、このＰＤＦ版下データに配置する文字、画像の位置を示す位置情報を含むレイアウトデータと、前記ＰＤＦ版下データに配置する画像データを表すオーバーレイデータとを含み、前記ファイル名は、前記ＰＤＦ版下データを特定するＰＤＦ版下データファイル名と、前記レイアウトデータを特定するレイアウトデータファイル名と、前記オーバーレイデータを特定するオーバーレイデータファイル名を含み、前記帳票データ記憶手段に記憶された前記主キーで区別される帳票データは、該帳票データが流し込まれる前記流し込み用設定データを特定する前記ＰＤＦ版下データファイル名、前記レイアウトデータファイル名及び前記オーバーレイデータファイル名を有し、前記閲覧用帳票データ作成手段は、前記流し込み用設定データ記憶手段に記憶された流し込み用設定データから、前記利用者閲覧帳票データが有する前記ＰＤＦ版下データファイル名、前記レイアウトデータファイル名及び前記オーバーレイデータファイル名で特定される前記流し込み用設定データを取り出し、取り出した前記流し込み用設定データに前記利用者閲覧帳票データを流し込んで前記閲覧用帳票データを作成する帳票閲覧装置を提供して、上記課題を解決するものである。
【０００７】
本発明は、前記帳票データ記憶手段が記憶する前記印刷用の主キーで区別される帳票データは、帳票データ取込手段によって取り込まれたものである帳票閲覧装置を提供して、上記課題を解決するものである。
【０００８】
本発明は、前記流し込み用設定データ記憶手段が記憶する前記ＰＤＦ版下データファイル名、前記レイアウトデータファイル名及び前記オーバーレイデータファイル名で区別される流し込み用設定データは、流し込み用設定データ取込手段によって取り込まれたものである帳票閲覧装置を提供して、上記課題を解決するものである。
【００１０】
本発明は、前記閲覧用帳票データは、ＰＤＦデータである帳票閲覧装置を提供して、上記課題を解決するものである。
【００１１】
本発明は、多数の帳票を印刷するために作成された印刷用の主キーで区別される帳票データを記憶しておき、前記帳票ごとに設定され、前記印刷用の主キーで区別される帳票データを流し込んで帳票印刷データを作成するための流し込み用設定データを記憶しておき、前記記憶した帳票データから、利用者が閲覧するための利用者閲覧帳票データを検索し、前記検索した利用者閲覧帳票データに基づいて、前記利用者が閲覧するための閲覧用帳票データを作成し、前記作成した閲覧用帳票データを出力するコンピュータが実行する帳票閲覧方法であって、前記流し込み用設定データは、前記閲覧用帳票データをＰＤＦで作成するために各頁をＰＤＦで表すＰＤＦ版下データと、このＰＤＦ版下データに配置する文字、画像の位置を示す位置情報を含むレイアウトデータと、前記ＰＤＦ版下データに配置する画像データを表すオーバーレイデータとを含み、前記ファイル名は、前記ＰＤＦ版下データを特定するＰＤＦ版下データファイル名と、前記レイアウトデータを特定するレイアウトデータファイル名と、前記オーバーレイデータを特定するオーバーレイデータファイル名を含み、前記主キーで区別される帳票データは、該帳票データが流し込まれる前記流し込み用設定データを特定する前記ＰＤＦ版下データファイル名、前記レイアウトデータファイル名及び前記オーバーレイデータファイル名を有し、前記閲覧用帳票データを作成するステップは、前記記憶された流し込み用設定データから、前記利用者閲覧帳票データが有する前記ＰＤＦ版下データファイル名、前記レイアウトデータファイル名及び前記オーバーレイデータファイル名で特定される前記流し込み用設定データを取り出し、取り出した前記流し込み用設定データに前記利用者閲覧帳票データを流し込んで前記閲覧用帳票データを作成する帳票閲覧方法を提供して、上記課題を解決するものである。
【００１２】
本発明は、前記記憶した印刷用の主キーで区別される帳票データは取り込まれたものである帳票閲覧方法を提供して、上記課題を解決するものである。
【００１３】
本発明は、前記記憶した前記ＰＤＦ版下データファイル名、前記レイアウトデータファイル名及び前記オーバーレイデータファイル名で区別される流し込み用設定データは取り込まれたものである帳票閲覧方法を提供して、上記課題を解決するものである。
【００１５】
本発明は、前記閲覧用帳票データは、ＰＤＦデータである帳票閲覧方法を提供して、上記課題を解決するものである。
【００１６】
本発明は、前記帳票閲覧方法をコンピュータに実行させるプログラムを提供して、上記課題を解決するものである。
【発明の効果】
【００１７】
本発明の帳票閲覧装置においては、印刷用に作成された帳票データ及び流し込み用設定データと同一のデータを使用して閲覧用帳票データが作成・出力されるため、大量の電子帳票データを保存することなく電子帳票データを閲覧でき、効率よく帳票の閲覧システムの運用、維持・管理等が行え、さらに、前記流し込み用設定データが、前記閲覧用帳票データをＰＤＦで作成するために各ページをＰＤＦで表すＰＤＦ版下データと、このＰＤＦ版下データに配置する文字、画像の位置を示す位置情報を含むレイアウトデータと、前記ＰＤＦ版下データに配置する画像データを表すオーバーレイデータとから構成されるため、汎用性のあるＰＤＦの閲覧用帳票データが効率よく迅速に作成できるという効果を奏する。
【００１８】
本発明の帳票閲覧装置においては、帳票データ取込手段が、前記帳票データ記憶手段が記憶する印刷用の帳票データを取り込むため、さらに、印刷用の帳票データが効率よく前記帳票データ記憶手段に記憶されるという効果を奏する。
【００１９】
本発明の帳票閲覧装置においては、前記流し込み用設定データ記憶手段が記憶する流し込み用設定データは、流し込み用設定データ取込手段が取り込むため、さらに、流し込み用設定データが効率よく前記流し込み用設定データ記憶手段に記憶されるという効果を奏する。
【００２１】
本発明の帳票閲覧装置においては、前記閲覧用帳票データがＰＤＦデータであるため、さらに、汎用性のあるＰＤＦデータで閲覧用帳票データが作成できるという効果を奏する。
【００２２】
本発明の帳票閲覧方法においては、印刷用に作成された帳票データ及び流し込み用設定データと同一のデータを使用して閲覧用帳票データが作成・出力されるため、大量の電子帳票データを保存することなく電子帳票データを閲覧でき、効率よく帳票の閲覧システムの運用、維持・管理等が行え、さらに、前記流し込み用設定データが、前記閲覧用帳票データをＰＤＦで作成するために各ページをＰＤＦで表すＰＤＦ版下データと、このＰＤＦ版下データに配置する文字、画像の位置を示す位置情報を含むレイアウトデータと、前記ＰＤＦ版下データに配置する画像データを表すオーバーレイデータとから構成されるため、汎用性のあるＰＤＦの閲覧用帳票データが効率よく迅速に作成できるという効果を奏する。
【００２３】
本発明の帳票閲覧方法においては、前記記憶した印刷用の帳票データは取り込まれたものであるため、印刷用の帳票データが効率よく記憶されるという効果を奏する。
【００２４】
本発明の帳票閲覧方法においては、前記記憶した流し込み用設定データは取り込まれたものであるため、流し込み用設定データが効率よく記憶されるという効果を奏する。
【００２６】
本発明の帳票閲覧方法においては、前記閲覧用帳票データがＰＤＦデータであるため、さらに、汎用性のあるＰＤＦデータで閲覧用帳票データが作成できるという効果を奏する。
【００２７】
本発明のプログラムは、本発明の帳票閲覧方法が奏する効果と同一の効果を奏する。
【図面の簡単な説明】
【００２８】
【図１】本発明の帳票閲覧装置の一実施形態の全体構成を示すブロック図である。
【図２】帳票データの一例を表した説明図である。
【図３】流し込み用設定データの一例を表した説明図である。
【図４】帳票データ２０のデータ構造の一例を表した説明図である。
【図５】レイアウトデータ４０のデータ構造の一例を表した説明図である。
【図６】図４の帳票データ２０に対応するオーバーレイデータ５０の一例を表した説明図である。
【図７】図４の帳票データ２０に基づいて作成された閲覧用帳票データの一例を表した説明図である。
【図８】帳票閲覧装置１の動作の概要を示すフローチャートである。
【図９】利用者閲覧帳票データの検索の詳細を示すフローチャートである。
【図１０】閲覧用帳票データの作成・出力の詳細を示すフローチャートである。
【発明を実施するための形態】
【００２９】
［帳票閲覧装置の全体構成］
まず、本発明の帳票閲覧装置の全体構成について説明する。
図１は、本発明の帳票閲覧装置の一実施形態の全体構成を示すブロック図であり、図２は、帳票データの一例を表した説明図であり、図３は、流し込み用設定データの一例を表した説明図である。図中、１は帳票閲覧装置、２は帳票データ取込部、３は帳票データ記憶部、４は流し込み用設定データ取込部、５は流し込み用設定データ記憶部、６は利用者閲覧帳票データ検索部、７は閲覧用帳票データ作成部、８は通信制御部、９はネットワーク回線、１０は端末装置、１１はディスプレイ、１２はプリンタ、２０は帳票データ、２１は帳票データに付された主キー、２２はデータ部、２３は帳票データファイル、３０は流し込み用設定データ、４０は１ファイルのレイアウトデータ、４１はレイアウトデータファイル名、４２はレイアウトデータファイル、５０は１ファイルのオーバーレイデータ（画像データ）、５１はオーバーレイデータファイル名、５２はオーバーレイデータファイル、６０は１ファイルのＰＤＦ版下データ、６１はＰＤＦ版下データファイル名、６２はＰＤＦ版下データファイルである。
【００３０】
帳票データ取込部２は、印刷工場で帳票の印刷用に作成された帳票データ２０を、通信回線（図示せず）を介して取り込み、帳票データ記憶部３に記憶する。
図２に示すように、帳票データ２０は、ページ単位に付された主キー２２によって区別され、各種データからなるデータ部２２を備え、帳票データファイル２３として大量に記憶されている。
流し込み用設定データ取込部４は、印刷工場で帳票の印刷用に作成され、帳票データ２０を流し込んで帳票印刷用のページを作成するための流し込み用設定データ３０を、通信回線（図示せず）を介して取り込み、流し込み用設定データ記憶部５に記憶する。
図３に示すように、流し込み用設定データ３０は、レイアウトデータ４０、オーバーレイデータ５０及びＰＤＦ版下データ６０から構成される。
レイアウトデータ４０は、ファイル単位に付されたレイアウトデータファイル名４１で区別され、帳票の各ページに配置する文字や画像等の位置情報からなり、レイアウトデータファイル４２として記憶されている。
オーバーレイデータ５０は、ファイル単位に付されたオーバーレイデータファイル名５１で区別され、帳票の各ページに配置する画像データからなり、オーバーレイデータファイル５２として記憶されている。
ＰＤＦ版下データ６０は、ファイル単位に付されたＰＤＦ版下データファイル名６１で区別され、帳票の各ページを構成する紙面がＰＤＦ形式で表されたＰＤＦデータからなり、ＰＤＦ版下データファイル６２として記憶されている。
【００３１】
利用者閲覧帳票データ検索部６は、帳票データ記憶部３に記憶された帳票データファイル２３から、端末装置１０で入力された検索条件（データ）に合致する帳票データ２０を検索する。具体的には、各帳票データ２０から顧客（利用者）名、帳票種別、事業者名（金融機関名等）、利用期間等の情報を抽出して作成された検索テーブル（図示せず）を使用して、端末装置１０で入力された検索条件に合致する帳票データの一覧（図示せず）を作成して端末装置１０のディスプレイ１１に表示し、表示された帳票データの一覧から利用者が選択した帳票データ２０（主キー２１で特定される帳票データ）を閲覧用帳票データ作成部７に送る。
閲覧用帳票データ作成部７は、利用者閲覧帳票データ検索部６から送られてくる帳票データ２０に対応する流し込み用設定データ３０（レイアウトデータ４０、オーバーレイデータ５０及びＰＤＦ版下データ６０）を流し込み用設定データ記憶部５から取り出し、閲覧用帳票データを作成する。具体的には、帳票データ２０の中のレイアウトデータファイル名、オーバーレイデータファイル名及びＰＤＦ版下データファイル名で特定されるレイアウトデータ４０、オーバーレイデータ５０及びＰＤＦ版下データ６０を取り出し、取り出したレイアウトデータ４０に基づいて、帳票データ２０の文字データやオーバーレイデータ５０（画像データ）等を、帳票の紙面となるＰＤＦ版下データ６０に配置して、端末装置１０に表示する閲覧用帳票データをＰＤＦ形式で作成する。
【００３２】
通信制御部８は、利用者閲覧帳票データ検索部６及び閲覧用帳票データ作成部７を備えたサーバー（図示せず）と、インターネット回線を介して接続された端末装置１０との間で行われるデータの送受信を制御する。具体的には、端末装置１０から入力されインターネット回線等のネットワーク回線９を介して送られてくる検索条件（データ）を受信して利用者閲覧帳票データ検索部６に送信し、利用者閲覧帳票データ検索部６が作成した帳票データの一覧を端末装置１０に送信したり、閲覧用帳票データ作成部７が作成した閲覧用帳票データを端末装置１０したりする等の通信制御を行う。
端末装置１０は、利用者（事業者のオペレータや顧客等）が使用するパソコン等から構成され、閲覧用帳票データ出力手段となるディスプレイ１１及びプリンタ１２を備えている。端末装置１０は、利用者が閲覧したい帳票を検索するための検索条件（データ）を入力したり、この検索条件に基づいて利用者閲覧帳票データ検索部６が作成した帳票データの一覧をディスプレイ１１に表示したり、閲覧用帳票データ作成部７が作成した閲覧用帳票データをディスプレイ１１に表示したり、プリンタ１２から出力したりする。
【００３３】
ここで、帳票データ２０のデータ構造、レイアウトデータ４０のデータ構造、オーバーレイデータ５０、及び閲覧用帳票データについて説明する。
［帳票データ２０のデータ構造］
図４は、帳票データ２０のデータ構造の一例を表した説明図である。
図４に示すように、帳票データ２０は、主キー２１とデータ部２２からなり、データ部２２には、ページ番号２２ａ、ページ内データＮｏ．２２ｂ、ＰＤＦ版下データファイル名２２ｃ、レイアウトデータファイル名２２ｄ、項目１〜項目５０の項目２２ｅ、オーバーレイ（ＯＶＬ）データファイル名１〜ＯＶＬデータファイル名５０のＯＶＬデータファイル名２２ｆのデータが順に書き込まれている。
【００３４】
主キー２１は、閲覧用帳票データを出力する場合の単位となる帳票データ２０を特定するもので、同一の主キー２１を付した帳票データが、１つの帳票として出力される。
ページ番号２２ａは、帳票データ２０を閲覧用帳票データとして出力した場合のページ番号を示すデータで、本実施形態（図４）の「１」は、１ページ目であることを示している。
ページ内データＮｏ．２２ｂは、ページ番号２２ａに示すページ内で何番目（何レコード目）かを示すデータである。
本実施形態（図４）では、１ページ目の帳票データ２０は、１番目の帳票データ２０ａと２番目の帳票データ２０ｂの２レコードからなるため、ページ内データＮｏ．２２ｂのデータは、帳票データ２０ａが「１」、帳票データ２０ｂが「２」となっている。
【００３５】
ＰＤＦ版下データファイル名２２ｃは、ＰＤＦ版下データ６０を特定するＰＤＦ版下データファイル名６１を示すものである。
本実施形態（図４）では、ＰＤＦ版下ファイル名２２ｃは、「ｐｄｆ  ａａａ１．ｐｄｆ」となっており、このファイル名が付されたＰＤＦ版下データ６０が、流し込み用設定データ記憶部５のＰＤＦ版下データファイル６２から取り出されることとなる。
レイアウトデータファイル名２２ｄは、レイアウトデータ４０を特定するレイアウトデータファイル名４１を示すものである。
本実施形態（図４）では、帳票データ２０ａのレイアウトデータファイル名２２ｄは、「ｘｍｌ  ａａａ１．ｘｍｌ」となっており、帳票データ２ｂａのレイアウトデータファイル名２２ｄは、「ｘｍｌ  ａａａ２．ｘｍｌ」となっており、これらのファイル名が付されたレイアウトデータ４０が、流し込み用設定データ記憶部５のレイアウトデータファイル４２から取り出されることとなる。
【００３６】
項目２２ｅは、項目１〜項目５０からなり、閲覧用の帳票データのうちの文字データ等が書き込まれる。
本実施形態（図４）では、帳票データ２０ａの項目１が帳票のタイトルを示す「ご利用明細」、項目２が利用日を示す「２０１５．３．３１」、項目５０が「カード番号：１２３４５６７８９」となっており、帳票データ２０ｂの項目１が「獲得ポイント  １０」、項目２が「累計ポイント  １００」、項目５０が「金融機関名：ＡＡ銀行」となっており、これらの文字データ等がＰＤＦ版下データ６０の所定の位置に出力される。
ＯＶＬデータファイル名２２ｆは、ＯＶＬデータファイル名１〜ＯＶＬデータファイル名５０からなり、ここに書き込まれたＯＶＬデータファイル名で特定されるオーバーレイデータ５０
（画像データ）が、流し込み用設定データ記憶部５のオーバーレイデータファイル５２から取り出され、ＰＤＦ版下データ６０の所定の位置に出力される。
本実施形態（図４）では、帳票データ２０ａのＯＶＬデータファイル名１が「ｏｖｌ  ａａａ１−１．ｔｉｆ」、ＯＶＬデータファイル名２が「ｏｖｌ  ａａａ１−２．ｔｉｆ」、ＯＶＬデータファイル名５０が「ｏｖｌ  ａａａ１−５０．ｔｉｆ」となっており、帳票データ２０ｂのＯＶＬデータファイル名１が「ｏｖｌ  ａａａ２−１．ｔｉｆ」、ＯＶＬデータファイル名２が「ｏｖｌ  ａａａ２−２．ｔｉｆ」、ＯＶＬデータファイル名５０が「ｏｖｌ  ａａａ２−５０．ｔｉｆ」となっており、これらのファイル名で特定されるオーバーレイデータ５０（画像データ）がＰＤＦ版下データ６０の所定の位置に出力される。  
【００３７】
［レイアウトデータ４０のデータ構造］
図５は、レイアウトデータ４０のデータ構造の一例を表した説明図である。
図５に示すように、レイアウトデータ４０は、項目１〜項目５０（帳票データ２０の１番目の項目１〜項目５０）の文字データ等が配置される位置情報が書き込まれた第１データ部４０ａ、項目５１〜項目１００（帳票データ２０の２番目の項目１〜項目５０）の文字データ等が配置される位置情報が書き込まれた第２データ部４０ｂ、ＯＶＬデータファイル１〜ＯＶＬデータファイル５０（帳票データ２０の１番目のＯＶＬデータファイル名１〜ＯＶＬデータファイル名１のファイル）のオーバーレイデータ（画像データ）が配置される位置情報が書き込まれた第３データ部４０ｃ、及び、ＯＶＬデータファイル５１〜ＯＶＬデータファイル１００（帳票データ２０の２番目のＯＶＬデータファイル名１〜ＯＶＬデータファイル名５０のファイル）のオーバーレイデータ（画像データ）が配置される位置情報が書き込まれた第４データ部４０ｄから構成される。
そして、項目１〜項目１００の文字データ等が配置される位置情報は、ＰＤＦ版下データ６０（１ページの紙面）上の例えば左上隅を原点とするｘｙ座標値（ｋｘ１，ｋｙ１）〜（ｋｘ１００，ｋｙ１００）で表され、ＯＶＬデータファイル１〜ＯＶＬデータファイル１００のオーバーレイデータ（画像データ）が配置される位置情報は、ＰＤＦ版下データ６０（１ページの紙面）上の例えば左上隅を原点とするｘｙ座標値（ｏｘ１，ｏｙ１）〜（ｏｘ１００，ｏｙ１００）で表される。
【００３８】
本実施形態（図５）のレイアウトデータ４０は、図４に示された帳票データ２０（２０ａ、２０ｂ）の各項目の文字データ等と、各ＯＶＬデータファイル名のファイルのオーバーレイデータ（画像データ）が配置される位置情報を示したものである。
すなわち、図５において、レイアウトデータ４０のレイアウトデータファイル名４１は、図４のレイアウトデータファイル名２２ｄの「ｘｍｌ  ａａａ１．ｘｍｌ」である。
また、図５において、第１データ部４０ａには、図４の１番目の帳票データ２０ａの項目２２ｅ（項目１〜項目５０）の文字データ等の位置情報（ｋｘ１，ｋｙ１）〜（ｋｘ５０，ｋｙ５０）が書き込まれ、第２データ部４０ｂａには、図４の２番目の帳票データ２０ｂの項目２２ｅ（項目１〜項目５０）の文字データ等の位置情報（ｋｘ５１，ｋｙ５１）〜（ｋｘ１００，ｋｙ１００）が書き込まれ、第３データ部４０ｃには、図４の１番目の帳票データ２０ａのＯＶＬデータファイル名２２ｆ（ＯＶＬデータファイル名１〜ＯＶＬデータファイル名５０）のファイルのオーバーレイデータ（画像データ）の位置情報（ｏｘ１，ｏｙ１）〜（ｏｘ５０，ｏｙ５０）が書き込まれ、第４データ部４０ｄには、図４の２番目の帳票データ２０ｂのＯＶＬデータファイル名２２ｆ（ＯＶＬデータファイル名１〜ＯＶＬデータファイル名５０）のファイルのオーバーレイデータ（画像データ）の位置情報（ｏｘ５１，ｏｙ５１）〜（ｏｘ１００，ｏｙ１００）が書き込まれる。
【００３９】
これより、図４の帳票データ２０ａの項目１の「ご利用明細書」、項目２の「２０１５．３．３１」、項目５０の「カード番号：１２３４５６７８９」は、それぞれＰＤＦ版下データ６０の（ｋｘ１，ｋｙ１）、（ｋｘ２，ｋｙ２）、（ｋｘ５０，ｋｙ５０）の位置にＰＤＦ形式で配置され、図４の帳票データ２０ｂの項目１の「獲得ポイント  １０」、項目２の「累計ポイント  １００」、項目５０の「金融機関名：ＡＡ銀行」は、それぞれＰＤＦ版下データ６０の（ｋｘ５１，ｋｙ５１）、（ｋｘ５２，ｋｙ５２）、（ｋｘ１００，ｋｙ１００）の位置にＰＤＦ形式で配置される。
また、図４の帳票データ２０ａのＯＶＬデータファイル名１「ｏｖｌ  ａａａ１−１．ｔｉｆ」、ＯＶＬデータファイル名２「ｏｖｌ  ａａａ１−２．ｔｉｆ」、ＯＶＬデータファイル名５０「ｏｖｌ  ａａａ１−５０．ｔｉｆ」のオーバーレイデータ（画像データ）は、それぞれＰＤＦ版下データ６０の（ｏｘ１，ｏｙ１）、（ｏｘ２，ｏｙ２）、（ｏｘ５０，ｏｙ５０）の位置にＰＤＦ形式で配置され、図４の帳票データ２０ｂのＯＶＬデータファイル名１「ｏｖｌ  ａａａ２−１．ｔｉｆ」、ＯＶＬデータファイル名２「ｏｖｌ  ａａａ２−２．ｔｉｆ」、ＯＶＬデータファイル名５０「ｏｖｌ  ａａａ２−５０．ｔｉｆ」のオーバーレイデータ（画像データ）は、それぞれＰＤＦ版下データ６０の（ｏｘ１，ｏｙ１）、（ｏｘ２，ｏｙ２）、（ｏｘ５０，ｏｙ５０）の位置にＰＤＦ形式で配置される。
【００４０】
［オーバーレイデータ５０］
図６は、図４の帳票データ２０に対応するオーバーレイデータ５０の一例を表した説明図である。
図５に示すように、画像データであるオーバーレイデータ５０ａ〜５０ｄは、オーバーレイ（ＯＶＬ）データファイル名５１ａ〜５１ｄが付されたオーバーレイデータファイルとして記憶されている。
そして、オーバーレイデータ５０ａは、帳票データ２０ａのＯＶＬデータファイル名１「ｏｖｌ  ａａａ１−１．ｔｉｆ」のオーバーレイデータ（画像データ）であり、オーバーレイデータ５０ｂは、帳票データ２０ａのＯＶＬデータファイル名５０「ｏｖｌ  ａａａ１−５０．ｔｉｆ」のオーバーレイデータ（画像データ）であり、オーバーレイデータ５０ｃは、帳票データ２０ｂのＯＶＬデータファイル名１「ｏｖｌ  ａａａ２−１．ｔｉｆ」のオーバーレイデータ（画像データ）であり、オーバーレイデータ５０ｄは、帳票データ２０ｂのＯＶＬデータファイル名５０「ｏｖｌ  ａａａ２−５０．ｔｉｆ」のオーバーレイデータ（画像データ）である。
【００４１】
［閲覧用帳票データ］
図７は、図４の帳票データ２０に基づいて作成された閲覧用帳票データの一例を表した説明図である。図中、７０は１ページ分の閲覧用帳票データ、７１は閲覧用帳票データの紙面、７２〜７７は文字・数字、７８〜８１は画像である。
図７に示すように、閲覧用帳票データ７０の紙面７１には、文字・数字７２〜７７と画像７８〜８１が配置されている。
紙面７０は、帳票データ２０のＰＤＦ版下ファイル名２２ｃ「ｐｄｆ  ａａａ１．ｐｄｆ」で特定されるＰＤＦ版下データ６０が、流し込み用設定データ記憶部５のＰＤＦ版下データファイル６２から取り出されて出力されたものである。
【００４２】
文字・数字７２の「ご利用明細書」は、帳票データ２０ａのデータ部２２の項目１に書き込まれた文字データ等が、レイアウトデータファイル名２２ｄ「ｘｍｌ  ａａａ１．ｘｍｌ」で特定されるレイアウトデータ４０の項目１の位置情報（ｋｘ１，ｋｙ１）で示された位置にＰＤＦ形式で出力されたものである。
文字・数字７３の「２０１５．３．３１」は、帳票データ２０ａのデータ部２２の項目２に書き込まれた文字データ等が、レイアウトデータファイル名２２ｄ「ｘｍｌ  ａａａ１．ｘｍｌ」で特定されるレイアウトデータ４０の項目２の位置情報（ｋｘ２，ｋｙ２）で示された位置にＰＤＦ形式で出力されたものである。
文字・数字７５の「カード番号：１２３４５６７８９」は、帳票データ２０ｂのデータ部２２の項目１に書き込まれた文字データ等が、レイアウトデータファイル名２２ｄ「ｘｍｌ  ａａａ１．ｘｍｌ」で特定されるレイアウトデータ４０の項目５１の位置情報（ｋｘ５１，ｋｙ５１）で示された位置にＰＤＦ形式で出力されたものである。
文字・数字７５の「獲得ポイント  １０」は、帳票データ２０ｂのデータ部２２の項目１に書き込まれた文字データ等が、レイアウトデータファイル名２２ｄ「ｘｍｌ  ａａａ１．ｘｍｌ」で特定されるレイアウトデータ４０の項目５１の位置情報（ｋｘ５１，ｋｙ５１）で示された位置にＰＤＦ形式で出力されたものである。
文字・数字７５の「獲得ポイント  １０」は、帳票データ２０ｂのデータ部２２の項目１に書き込まれた文字データ等が、レイアウトデータファイル名２２ｄ「ｘｍｌ  ａａａ２．ｘｍｌ」で特定されるレイアウトデータ４０の項目５１の位置情報（ｋｘ５１，ｋｙ５１）で示された位置にＰＤＦ形式で出力されたものである。
文字・数字７６の「累計ポイント  １００」は、帳票データ２０ｂのデータ部２２の項目２に書き込まれた文字データ等が、レイアウトデータファイル名２２ｄ「ｘｍｌ  ａａａ２．ｘｍｌ」で特定されるレイアウトデータ４０の項目５２の位置情報（ｋｘ５２，ｋｙ５２）で示された位置にＰＤＦ形式で出力されたものである。
文字・数字７７の「金融機関名：ＡＡ銀行」は、帳票データ２０ｂのデータ部２２の項目５０に書き込まれた文字データ等が、レイアウトデータファイル名２２ｄ「ｘｍｌ  ａａａ２．ｘｍｌ」で特定されるレイアウトデータ４０の項目１００の位置情報（ｋｘ１００，ｋｙ１００）で示された位置にＰＤＦ形式で出力されたものである。
【００４３】
画像７８は、帳票データ２０ａのデータ部２２にＯＶＬデータファイル名１として書き込まれた「ｏｖｌ  ａａａ１−１．ｔｉｆ」で特定されるオーバーレイデータ（画像データ）５０ａが、レイアウトデータファイル名２２ｄ「ｘｍｌ  ａａａ１．ｘｍｌ」で特定されるレイアウトデータ４０のＯＶＬデータファイル１の位置情報（ｏｘ１，ｏｙ１）で示された位置にＰＤＦ形式で出力されたものである。
画像７９は、帳票データ２０ａのデータ部２２にＯＶＬデータファイル名５０として書き込まれた「ｏｖｌ  ａａａ１−５０．ｔｉｆ」で特定されるオーバーレイデータ（画像データ）５０ｂが、レイアウトデータファイル名２２ｄ「ｘｍｌ  ａａａ１．ｘｍｌ」で特定されるレイアウトデータ４０のＯＶＬデータファイル５０の位置情報（ｏｘ５０，ｏｙ５０）で示された位置にＰＤＦ形式で出力されたものである。
画像８０は、帳票データ２０ｂのデータ部２２にＯＶＬデータファイル名１として書き込まれた「ｏｖｌ  ａａａ２−１．ｔｉｆ」で特定されるオーバーレイデータ（画像データ）５０ｃが、レイアウトデータファイル名２２ｄ「ｘｍｌ  ａａａ２．ｘｍｌ」で特定されるレイアウトデータ４０のＯＶＬデータファイル５１の位置情報（ｏｘ５１，ｏｙ５１）で示された位置にＰＤＦ形式で出力されたものである。
画像８１は、帳票データ２０ｂのデータ部２２にＯＶＬデータファイル名５０として書き込まれた「ｏｖｌ  ａａａ２−５０．ｔｉｆ」で特定されるオーバーレイデータ（画像データ）５０ｄが、レイアウトデータファイル名２２ｄ「ｘｍｌ  ａａａ２．ｘｍｌ」で特定されるレイアウトデータ４０のＯＶＬデータファイル１００の位置情報（ｏｘ１００，ｏｙ１００）で示された位置にＰＤＦ形式で出力されたものである。
【００４４】
［帳票閲覧装置１の動作］
次に、帳票閲覧装置１の動作を説明する
図８は、帳票閲覧装置１の動作の概要を示すフローチャートであり、以下図８に基づいて帳票閲覧装置１の動作の概要を説明する。
まず、帳票データ取込部２が、印刷工場で帳票の印刷用に作成された帳票データ２０を、通信回線（図示せず）を介して取り込み、帳票データ記憶部３に記憶する（Ｓ１）。
次いで、流し込み用設定データ取込部４が、印刷工場で帳票の印刷用に作成され、帳票データ２０を流し込んで帳票印刷用のページを作成するための流し込み用設定データ３０（レイアウトデータ４０、オーバーレイデータ５０及びＰＤＦ版下データ６０）を、通信回線（図示せず）を介して取り込み、流し込み用設定データ記憶部５に記憶する（Ｓ２）。
次いで、利用者閲覧帳票データ検索部６が、帳票データ記憶部３に記憶された帳票データファイル２３から、端末装置１０で入力された検索条件（データ）に合致する帳票データ２０を検索する（Ｓ３）。
最後に、閲覧用帳票データ作成部７が、利用者閲覧帳票データ検索部６から送られてくる帳票データ２０に対応する流し込み用設定データ３０を流し込み用設定データ記憶部５から取り出し、閲覧用帳票データを作成して出力し（Ｓ４）、処理を終了する。
以下、利用者閲覧帳票データの検索（Ｓ３）と閲覧用帳票データの作成・出力（Ｓ４）
について詳細に説明する。
【００４５】
［利用者閲覧帳票データの検索（Ｓ３）］
図９は、利用者閲覧帳票データの検索（図８のＳ３）の詳細を示すフローチャートであり、以下図９に基づいて利用者閲覧帳票データの検索の詳細を説明する。
まず、端末装置１０において、利用者（事業者のオペレータや顧客等）が顧客（利用者）名、期間等の検索条件（検索データ）を入力し（Ｓ１０）、入力された検索条件（検索データ）は、ネットワーク回線９を介して利用者閲覧帳票データ検索部６に送られる。
次いで、利用者閲覧帳票データ検索部６が、各帳票データ２０から顧客（利用者）名、帳票種別、事業者名（金融機関名等）、利用期間等の情報を抽出して作成された検索テーブル（図示せず）を使用して、送られてきた検索条件（検索データ）に合致する帳票データの一覧（図示せず）を作成して端末装置１０のディスプレイ１１に表示する（Ｓ１１）。
なお、この帳票データの一覧は、上記検索テーブルを使用せず、帳票データ記憶部３に記憶された帳票データファイル２３を直接検索して、上記検索条件（検索データ）に合致する帳票データ２０を抽出して作成してもよい。
次いで、端末装置１０において、ディスプレイ１１に表示された帳票データの一覧から、利用者が閲覧したい帳票データを選択し（Ｓ１２）、選択した帳票データ２０の主キー２１は、ネットワーク回線９を介して利用者閲覧帳票データ検索部６に送られ、利用者閲覧帳票データ検索部６は、帳票データ記憶部３から主キー２１で特定される帳票データ２０を取り出し、閲覧用帳票データ作成部７に送り（Ｓ１３）、処理を終了する。
なお、選択した帳票データ２０の主キー２１は、閲覧用帳票データ作成部７に送り、閲覧用帳票データ作成部７が、帳票データ記憶部３から主キー２１で特定される帳票データ２０を取り出してもよい。
【００４６】
［閲覧用帳票データの作成・出力（Ｓ４）］
図１０は、閲覧用帳票データの作成・出力（図８のＳ４）の詳細を示すフローチャートであり、以下図１０に基づいて閲覧用帳票データの作成・出力の詳細を説明する。
まず、主キー２１で特定される帳票データ２０について、１ページ・１レコードのデータを読み込む（Ｓ２０）。
具体的には、図４に示すように、主キー２１が「ＡＡＡ」の帳票データ２０のうち、ページ番号２２ａが「１」、ページ内データＮｏ．２２ｂが「１」の帳票データ２０ａのデータ部２２に書き込まれたデータを読み込む。
【００４７】
次いで、読み込んだデータの中のＰＤＦ版下データファイル名２２ｃで特定されるＰＤＦ版下データ６０を、流し込み用設定データ記憶部５のＰＤＦ版下データファイル６２から取り出す（Ｓ２１）。
具体的には、ＰＤＦ版下データファイル名２２ｃとして「ｐｄｆ  ａａａ１．ｐｄｆ」が付されたＰＤＦ版下データ６０を取り出す。
次いで、読み込んだデータの中のレイアウトデータファイル名２２ｄで特定されるレイアウトデータ４０を、流し込み用設定データ記憶部５のレイアウトデータファイル４２から取り出す（Ｓ２２）。
具体的には、レイアウトデータファイル名２２ｄとして「ｘｍｌ  ａａａ１．ｘｍｌ」が付されたレイアウトデータ４０を取り出す。
【００４８】
次いで、帳票データ２０（帳票データ２０ａ）の項目２２ｅ（項目１〜項目５０）に書き込まれた文字データ等を、レイアウトデータ４０の各項目の（項目１〜項目５０）位置情報に従って、ＰＤＦ版下データ６０に張り付ける（Ｓ２３）。
具体的には、図４に示すように、項目１に「ご利用明細」、項目２に「２０１５．３．３１」、項目５０に「カード番号：１２３４５６７８９」の文字データ等が書き込まれ、図５に示すように、項目１の位置情報が「（ｋｘ１，ｋｙ１）」、項目２の位置情報が「（ｋｘ２，ｋｙ２）」、項目５０の位置情報が「（ｋｘ５０，ｋｙ５０）」であり、「ご利用明細」、「２０１５．３．３１」、「カード番号：１２３４５６７８９」の文字データ等が、ＰＤＦ版下データ６０上の座標（ｋｘ１，ｋｙ１）、（ｋｘ２，ｋｙ２）、（ｋｘ５０，ｋｙ５０）の位置にＰＤＦ形式で配置される（図７の文字・数字７２〜７４）。
【００４９】
次いで、帳票データ２０（帳票データ２０ａ）のＯＶＬデータファイル名２２ｆ（ＯＶＬデータファイル名１〜ＯＶＬデータファイル名５０で）で特定されるオーバーレイデータ５０を、レイアウトデータ４０の各ＯＶＬデータファイル（ＯＶＬデータファイル１〜ＯＶＬデータファイル５０）の位置情報に従って、ＰＤＦ版下データ６０に張り付ける（Ｓ２４）。
具体的には、図４に示すように、帳票データ２０ａＯＶＬデータファイル名１が「ｏｖｌ  ａａａ１−１．ｔｉｆ」、ＯＶＬデータファイル名５０が「ｏｖｌ  ａａａ１−５０．ｔｉｆ」となっており、これらのファイル名により図６に示すオーバーレイデータ５０ａ、５０ｂが特定され、レイアウトデータ４０のＯＶＬデータファイル１とＯＶＬデータファイル５０の位置情報は、「（ｏｘ１，ｏｙ１）」、「（ｏｘ５０，ｏｙ５０）」であり、オーバーレイデータ５０ａ、５０ｂは、ＰＤＦ版下データ６０上の座標（ｏｘ１，ｏｙ１）、（ｏｘ５０，ｏｙ５０）の位置にＰＤＦ形式で配置される（図７の画像７８、７９）。
【００５０】
次いで、主キー２１で特定される帳票データ２０の同一ページのデータに、次のレコードの帳票データ２０があるか否かが判断され（Ｓ２４）、ある場合は、Ｓ２０〜Ｓ２４の処理を行い、ない場合は、次のステップ（Ｓ２５）の処理を行う。
図４に示すように、帳票データ２０の１ページのデータには、次のレコードの帳票データ２０ｂがあり、帳票データ２０ｂについて、Ｓ２０〜Ｓ２４の処理を行う。
具体的には、図４に示すように、帳票データ２０ｂの項目１に「獲得ポイント  １０」、項目２に「累計ポイント  １００」、項目５０に「金融機関名：ＡＡ銀行」の文字データ等が書き込まれ、図５に示すように、項目５１の位置情報が「（ｋｘ５１，ｋｙ５１）」、項目５２の位置情報が「（ｋｘ５２，ｋｙ５２）」、項目１００の位置情報が「（ｋｘ１００，ｋｙ１００）」であり、「獲得ポイント  １０」、「累計ポイント  １００」、「金融機関名：ＡＡ銀行」の文字データ等が、ＰＤＦ版下データ６０上の座標（ｋｘ５１，ｋｙ５１）、（ｋｘ５２，ｋｙ５２）、（ｋｘ１００，ｋｙ１００）の位置にＰＤＦ形式で配置される（図７の文字・数字７５〜７７）。
また、図４に示すように、帳票データ２０ｂのＯＶＬデータファイル名１が「ｏｖｌ  ａａａ２−１．ｔｉｆ」、ＯＶＬデータファイル名５０が「ｏｖｌ  ａａａ２−５０．ｔｉｆ」となっており、これらのファイル名により図６に示すオーバーレイデータ５０ｃ、５０ｄが特定され、レイアウトデータ４０のＯＶＬデータファイル１とＯＶＬデータファイル５０の位置情報は、「（ｏｘ５１，ｏｙ５１）」、「（ｏｘ１００，ｏｙ１００）」であり、オーバーレイデータ５０ｃ、５０ｄは、ＰＤＦ版下データ６０上の座標（ｏｘ５１，ｏｙ５１）、（ｏｘ１００，ｏｙ１００）の位置にＰＤＦ形式で配置される（図７の画像８０、８１）。
【００５１】
次いで、主キー２１で特定される帳票データ２０に、次のページの帳票データ２０があるか否かが判断され（Ｓ２６）、ある場合は、Ｓ２０〜Ｓ２５の処理を行い、ない場合は、前記Ｓ２４により作成した閲覧用帳票データ７０（図７）を、端末装置１０のディスプレイ１１に表示し（Ｓ２７）、処理を終了する。
なお、前記Ｓ２４で作成した閲覧用帳票データ７０は、ディスプレイ１１に表示する他、プリンタ１２から出力してもよい。
【産業上の利用可能性】
【００５２】
本発明の帳票閲覧装置、帳票閲覧方法及びプログラムは、いわゆるウェブ（Ｗｅｂ）で利用者が閲覧できる帳票データを、印刷用に作成された帳票データ及び流し込み用設定データと同一のデータを使用して作成・出力するもので、効率よく帳票の閲覧システムの運用、維持・管理等が行えるようにするものである。
【符号の説明】
【００５３】
１  帳票閲覧装置
２  帳票データ取込部
３  帳票データ記憶部
４  流し込み用設定データ取込部
５  流し込み用設定データ記憶部
６  利用者閲覧帳票データ検索部
７  閲覧用帳票データ作成部
８  通信制御部
９  ネットワーク回線
１０  端末装置
１１  ディスプレイ
１２  プリンタ
２０  帳票データ
２０ａ、２０ｂ  帳票データ
２１  主キー
２２  データ部
２２ａ  ページ番号
２２ｂ  ページ内データＮｏ．
２２ｃ  ＰＤＦ版下データファイル名
２２ｄ  レイアウトデータファイル名
２２ｅ  項目
２２ｆ  ＯＶＬデータファイル名
２３  帳票データファイル
３０  流し込み用設定データ
４０  １ファイルのレイアウトデータ
４０ａ  第１データ部
４０ｂ  第２データ部
４０ｃ  第３データ部
４０ｄ  第４データ部
４１  レイアウトデータファイル名
４２  レイアウトデータファイル
５０  オーバーレイデータ
５０ａ、５０ｂ、５０ｃ、５０ｄ  オーバーレイデータ
５１  オーバーレイデータファイル名
５１ａ、５１ｂ、５１ｃ、５１ｄ  オーバーレイデータファイル名
５２  オーバーレイデータファイル
６０  ＰＤＦ版下データ
６１  ＰＤＦ版下データファイル名
６２  ＰＤＦ版下データファイル
７０  閲覧用帳票データ
７１  紙面
７２〜７７  文字・数字
７８〜８１  画像
【図１】
0006743354.tif 000002
【図２】
0006743354.tif 000003
【図３】
0006743354.tif 000004
【図４】
0006743354.tif 000005
【図５】
0006743354.tif 000006
【図６】
0006743354.tif 000007
【図７】
0006743354.tif 000008
【図８】
0006743354.tif 000009
【図９】
0006743354.tif 000010
【図１０】
0006743354.tif 000011